(57)【要約】  【課題】    極めて簡単な構造でもって床下空間のセキュリティを確保したい部分の床パネルを簡単には剥がす（取り外す）ことが出来ないように工夫されたフリーアクセスフロアにおける床パネルの敷設構造を提供すること。  【解決手段】  支持脚１にわたって床パネルを架設状に敷設して構築されるフリーアクセスフロアにおいて、パネル本体３２の縁辺３２’より突出して隣接する床パネル２に掛止される掛止突片３３を突設してなるセキュリティ用床パネル３を敷設し、その後に、上記セキュリティ用床パネルの周囲に通常の床パネル２を敷設することにより上記通常の床パネルを取り外すか掛止突片３３をパネル本体３２の縁辺３２’より引っ込めない限りセキュリティ用床パネル３を取り外せないように構成した。  【選択図】    図１
2005336875.tif 000002
【特許請求の範囲】
【請求項１】
基礎床面上に配設された支持脚にわたり床パネルを架設状に敷設して構築されるフリーアクセスフロアにおいて、パネル本体の縁辺より突出して隣接する床パネルに掛止される掛止突片を突設してなるセキュリティ用床パネルを敷設し、その後に、上記セキュリティ用床パネルの周囲に通常の床パネルを敷設することにより上記通常の床パネルを取り外すか前記掛止突片をパネル本体の縁辺より引っ込めない限り前記セキュリティ用床パネルを取り外せないようにした事を特徴とするフリーアクセスフロアにおける床パネルの敷設構造。
【請求項２】
前記掛止突片がパネル本体と同一体に突出形成されている請求項１記載のフリーアクセスフロアにおける床パネルの敷設構造。
【請求項３】
前記掛止突片がパネル本体に後加工により突設されている請求項１記載のフリーアクセスフロアにおける床パネルの敷設構造。
【請求項４】
前記掛止突片がパネル本体に当該パネル本体の縁辺より出没可能に設けられている請求項１記載のフリーアクセスフロアにおける床パネルの敷設構造。
【発明の詳細な説明】
【技術分野】
【０００１】
本発明は、基礎床面上に配設された支持脚にわたって床パネルを架設状に敷設することにより構築されるフリーアクセスフロアにおける床パネルの敷設構造に関し、更に詳しくは、床パネルを支持脚の上に載承架設するだけのフリーアクセスフロアにおける床パネルの敷設構造に関するものである。
【背景技術】
【０００２】
この種のフリーアクセスフロアでは支持脚の上に載承された床パネルを簡便に剥がす（支持脚から取り外すこと。以下同じ。）ことができ、床パネルを剥がして床下の配線等をチェックしたり変更することができるメリットがある反面、例えばオフィスやコンピュータルーム、クリーンルーム等では、床下空間に配設された配線を勝手に変更されたりコンピュータや電話等のハブ（端末機）等に勝手に接続されてしまう可能性があるなど床下空間におけるセキュリティ上の問題がある。
【０００３】
そのために従来では、床下空間のセキュリティを確保したい部分の床パネルをネジ等を使って支持脚に締結状に固定するか、或いは専用の支持キャップと称する固定具を用いて床パネルを固定することにより、床パネルが簡単に剥がされない（取り外されない）ように対処していた。
尚、本願出願人が知っている上記の先行技術は、文献公知発明に係るものではないため、本願明細書には先行技術文献情報を開示しない。
【発明の開示】
【発明が解決しようとする課題】
【０００４】
本発明はこのような現状に鑑みてなされたものであり、極めて簡単な構造でありながら床下空間のセキュリティを確保したい部分の床パネルを簡単には剥がす（取り外す）ことが出来ないように工夫されたフリーアクセスフロアにおける床パネルの敷設構造を提供せんとするものである。
【課題を解決するための手段】
【０００５】
斯かる目的を達成する本発明のフリーアクセスフロアにおける床パネルの敷設構造は、基礎床面上に配設された支持脚にわたり床パネルを架設状に敷設して構築されるフリーアクセスフロアにおいて、パネル本体の縁辺より突出して隣接する床パネルに掛止される掛止突片を突設してなるセキュリティ用床パネルを敷設し、その後に、上記セキュリティ用床パネルの周囲に通常の床パネルを敷設することにより上記通常の床パネルを取り外すか前記掛止突片をパネル本体の縁辺より引っ込めない限り前記セキュリティ用床パネルを取り外せないようにした事を特徴としたものである。
この際、パネル本体の縁辺より突出して隣接する床パネルに掛止される掛止突片としては、パネル本体と同一体に突出形成されていても良いし、またはパネル本体に後加工により突設されていても良いし、或いは、パネル本体に当該パネル本体の縁辺より出没可能に設けられていても良い。
【発明の効果】
【０００６】
本発明に係るフリーアクセスフロアにおける床パネルの敷設構造によれば、パネル本体の縁辺より突出して隣接する床パネルに掛止される掛止突片を突設してなるセキュリティ用床パネルを敷設した後に、該セキュリティ用床パネルの周囲に通常の床パネルを敷設することにより上記通常の床パネルを取り外すか前記掛止突片をパネル本体の縁辺より引っ込めない限り前記セキュリティ用床パネルを取り外せないようにしたので、床下空間のセキュリティを確保したい部分の床パネルを簡単には剥がす（取り外す）ことができなくなり、その結果、目的とする床下（床下空間のセキュリティを確保したい部分の床下）部分のセキュリティを簡単な構造でもって確保することが可能となる。
しかも、床パネルの敷設工事も従来と変わらず容易に行うことが出来る。
【発明を実施するための最良の形態】
【０００７】
以下、本発明の具体的な好適実施例を図面を参照しながら詳細に説明するが、本発明は図示実施例のものに限定されるものではなく、いろいろなバリエーションが考えられる。また、全図面を通して同様の構成部材には同じ符号を付してある。
【０００８】
本発明に係るフリーアクセスフロアは、基本的には従来と同様に、基礎床面上に碁盤目状に配設される支持脚１と、隣接する支持脚１にわたって架設状に載置される床パネル２及びセキュリティ用床パネル３とで構築される。
【０００９】
支持脚１は、基礎床面上に設置プレート（図示せず）を介して鉛直状に立設される支柱１１と、その支柱１１の先端部に高さ調節１２等でもって高さ調節可能に取付けられる支持台座１３とで構成され、基礎床面上に碁盤目状に所定の間隔でもって規則的に配設される。なお、本発明で使用される支持脚１としては、図示実施例のものに限定されるものではなく、現在知られているどのようなタイプの支持脚でも適用可能である。
そして、基礎床面上に碁盤目状に配設されたこれら支持脚１間にわたって、詳しくは隣り合う支持脚１の支持台座１３間にわたって、床パネル２及びセキュリティ用床パネル３が取外し自在に架設状に載置される。
【００１０】
床パネル２及びセキュリティ用床パネル３は、アルミニウム合金を用いたダイカスト鋳造やスチール板を用いたプレス成形等により、所定大きさの正方形状に形成され、その表面（上面）にはパネル本体と同寸法に形成されたカーペットタイルや塩化ビニルタイルなどの表面材２１,３１が一体的に貼着される。
【００１１】
更にセキュリティ用床パネル３は、通常の床パネル２の構成に加えて、パネル本体３２の縁辺３２’より突出して、隣接する床パネル２及び／又はセキュリティ用床パネル３に掛止される掛止突片３３を突設して構成される。
【００１２】
上記掛止突片３３は、隣接する床パネル２及び／又はセキュリティ用床パネル３に掛止した状態でセキュリティ用床パネル３を剥がそうとしても折れたりしないよう十分な剛性を持たせて、パネル本体３２の縁辺３２’より突出させる。
【００１３】
掛止突片３３をパネル本体３２の縁辺３２’より突出させる場合、パネル本体３２と同一体に突出形成するか、又はパネル本体３２に後加工により突設するなどいろいろな構成が考えられる。
【００１４】
すなわち、図１に示した第１実施例のものは、剛性を有するステンレス等の金属製板材を用いて略矩形状に形成したものを掛止突片３３となし、それをパネル本体３２の裏面側の周縁部にビス３４でもってその一部がパネル本体３２の縁辺３２’より水平方向に突出するように取り付け固定することにより、掛止突片３３をパネル本体３２の縁辺３２’より突出させたものである。
【００１５】
また、図２に示した第２実施例のものは、剛性を有するステンレス等の金属製板材を用いて略矩形状に形成したものを掛止突片３３となし、それをパネル本体３２の裏面側の周縁部に水平方向に回動してその一部がパネル本体３２の縁辺３２’より水平方向に突出するようにビス３４やブラケット３５を用いて取付けると共に、掛止突片３３に操作杆３６を突設せしめ、操作用穴３７から臨ませた操作杆３６にセキュリティ用床パネル３の上からドライバー（図示せず）等を係合させ回動操作することにより掛止突片３３をパネル本体３２の縁辺３２’より出没可能に突出させたものである。
【００１６】
また、図３に示した第３実施例のものは、掛止突片３３に取付けたラック板３８とピニオンギア３９を、第２実施例のもの同様にしてパネル本体３２裏面側の周縁部にビス３４やブラケット３５を用いて取付け、掛止突片３３がパネル本体３２の縁辺３２’より水平方向に出没可能に取り付けることにより、ピニオンギア３９の操作杆３９’にセキュリティ用床パネル３の上からドライバー（図示せず）等を係合させ回動操作することにより掛止突片３３をパネル本体３２の縁辺３２’より出没可能に突出させたものである。
【００１７】
上記したいずれの実施例の場合も、図示例のように２個の掛止突片３３を用いてパネル本体３２の相対向する縁辺３２’にそれぞれ１つずつ突設する以外に、パネル本体３２の隣り合う２つの縁辺３２’より突出させても良いし、又はパネル本体３２の４つの全ての縁辺３２’より４個の掛止突片３３を突出させても良いし、或いはパネル本体３２の３つの縁辺３２’より３個の掛止突片３３を突出させても良い。
【００１８】
而して、本発明に係る床パネルの敷設構造にあっては、床下空間のセキュリティを確保したい部分に配置された支持脚１にわたって１枚又は複数枚のセキュリティ用床パネル３を敷設し、然る後に、そのセキュリティ用床パネル３を取り囲むように通常の床パネル２を敷設すると共に、セキュリティ用床パネル３の縁辺３２’より水平方向に突出している掛止突片３３を隣接する通常の床パネル２及び／又はセキュリティ用床パネル３の裏面に掛止させれば、フリーアクセスフロアが構築される。
すると、セキュリティ用床パネル３は、その周囲に敷設された隣接する通常の床パネル２に掛止突片３３を介して掛止され、その結果、隣接する通常の床パネル２を取り外すか上記掛止突片３３をパネル本体３２の縁辺３２’より引っ込めて掛止関係を解除しない限り剥がす（取り外す）ことが出来なくなる。
【図面の簡単な説明】
【００１９】
【図１】本発明の第１実施例を示す敷設状態を説明する斜視図。
【図２】本発明の第２実施例に係るセキュリティ用床パネルの分解斜視図。
【図３】本発明の第３実施例に係るセキュリティ用床パネルの分解斜視図。
【符号の説明】
【００２０】
１：支持脚                  １１：支柱
１２：支柱
１３：支持台座
２：床パネル                ２１：表面材
３：セキュリティ用床パネル
３１：表面材                  ３２：パネル本体
３２’：縁辺                   ３３：掛止突片
３４：ビス                    ３５：ブラケット
３６：操作杆                  ３７：操作用穴
３８：ラック板                ３９：ピニオンギア
【図１】
2005336875.tif 000003
【図２】
2005336875.tif 000004
【図３】
2005336875.tif 000005